(57)【要約】【課題】干渉と、バッテリー電源の消耗とを最小限にするＨＤＲサービスを提供する方法を実現すること。【解決手段】本発明は、無線通信システムにおいて第１のエンティティから第２のエンティティへのコントロールメッセージを送信する方法であって、第１のエンティティにおいて、第２のエンティティからの信号が受信されたチャンネルの少なくとも１つの特徴を測定してチャンネル状態情報を生成し、チャンネル状態情報のコントロールメッセージ表示を生成し、コントロールメッセージの少なくとも一部に基づいて決定される特定の出力レベルで、第１のエンティティから第２のエンティティへとコントロールメッセージを送信する。【特許請求の範囲】
【請求項１】
無線通信システムにおいて第１のエンティティから第２のエンティティへのコントロールメッセージを送信する方法であって、
第１のエンティティにおいて、第２のエンティティからの信号が受信されたチャンネルの少なくとも１つの特徴を測定してチャンネル状態情報を生成し、
前記チャンネル状態情報のコントロールメッセージ表示を生成し、
前記コントロールメッセージの少なくとも一部に基づいて決定される特定の出力レベルで、前記第１のエンティティから前記第２のエンティティへと前記コントロールメッセージを送信する方法。
【請求項２】
請求項１に記載の方法において、
前記コントロールメッセージは、複数の可能なコードワードから選択された特有のコードワードを含んでいる方法。
【請求項３】
請求項２に記載の方法において、
前記出力レベルは、前記選択されたコードワードの最小距離に基づいて決定されるようにした方法。
【請求項４】
請求項２に記載の方法において、
前記出力レベルは、送信されている前記選択されたコードワードの予定された周波数に基づいて決定されるようにした方法。
【請求項５】
請求項２に記載の方法において、
前記出力レベルは、前記コードワードが送信のために繰り返された回数に基づいて決定されるようにした方法。
【請求項６】
請求項１に記載の方法において、
前記コントロールメッセージを、前記第２のエンティティから要求されたデータ送信速度を表示するデータ速度コントロールメッセージ表示とした方法。
【請求項７】
請求項１に記載の方法において、
前記少なくとも１つの特徴は、ノイズと干渉に対する信号比（Ｃ／Ｉ）を含む方法。
【請求項８】
請求項１に記載の方法において、
前記コントロールメッセージは、複数のデータ速度コントロールメッセージから選択される方法。
【請求項９】
請求項２に記載の方法において、
前記選択されたコードワードは、チャンネルの品質に基づく最小距離を有している方法。
【請求項１０】
請求項２に記載の方法において、
前記選択されたコードワードは、コントロールメッセージが送信された周波数に基づく最小距離を有している方法。
【請求項１１】
無線通信システムにおいて第１のエンティティから第２のエンティティへメッセージを送信する方法であって、
前記メッセージに関連したコードワードを識別する段階と、
前記識別されたコードワードを前記第１のエンティティから前記第２のエンティティへと送信する段階とを備え、
前記識別されたコードワードは、符号で定義された複数のコードワードのうちの１つであり、前記符号における少なくとも２つのコードワードは、各々の最も近いコードワードまで異なる距離を有する方法。
【請求項１２】
請求項１１に記載の方法において、
前記識別されたコードワードの送信出力レベルを決定する段階を更に備え、
前記識別されたコードワードは、前記決定された送信出力レベルで送信されるようにした方法。
【請求項１３】
請求項１２に記載の方法において、
前記識別されたコードワードの送信出力レベルは、少なくとも最も近いコードワードに対して前記識別されたコードワードの距離の一部に基づいている方法。
【請求項１４】
請求項１２に記載の方法において、
前記識別されたコードワードの送信出力レベルは、特有の性能レベルを実現するように決定される方法。
【請求項１５】
請求項１４に記載の方法において、
前記特有の性能レベルは、おおよそ１％かそれより優れたフレーム誤差率である方法。
【請求項１６】
請求項１１に記載の方法において、
送信される前記メッセージは、複数の可能なメッセージのうちの１つであって、前記符号における複数のコードワードは、特有の割り当て方式に従って複数の可能なメッセージに割り当てられる方法。
【請求項１７】
請求項１６に記載の方法において、
前記符号における複数のコードワードは、より高い送信出力でより送信されるメッセージが、最も近いコードワードへの距離としてより大きな距離を有するコードワードが割り当てられるように複数の可能なメッセージに割り当てられる方法。
【請求項１８】
請求項１６に記載の方法において
前記符号における複数のコードワードは、より送信されるメッセージが、最も近いコードワードへの距離が大きなコードワードに割り当てられるように、複数の可能なメッセージに割り当てられる方法。
【請求項１９】
請求項１１に記載の方法において、
前記符号は、ｄ１からｄＮまでの最小距離を有するＮ個のコードワードを含んでおり、
前記最小距離はｄ１≧ｄ２≧…≧ｄＮ−１≧ｄＮ、およびｄ１＞ｄＮを満足する方法。
【請求項２０】
請求項１１に記載の方法において、
前記メッセージは、第１のエンティティによって要求された第２のエンティティからのデータ送信の特有のデータ速度を識別する方法。
【請求項２１】
請求項１１に記載の方法において、
前記第１のエンティティは、前記無線通信システムにおけるアクセスターミナルである方法。
【請求項２２】
請求項１１に記載の方法において、
前記無線通信システムは、ＣＤＭＡシステムである方法。
【請求項２３】
無線通信システムにおいて第１のエンティティから第２のエンティティへのメッセージを送信する方法であって、
前記メッセージに関連するコードワードを識別する段階と、
前記識別されたコードワードの送信出力レベルを決定する段階と、
前記決定された送信出力レベルで前記識別されたコードワードを送信する段階とを備え、
前記識別されたコードワードは、符号で定義された複数のコードワードのうちの１つであり、前記符号のうち少なくとも２つのコードワードは、類似のリンク条件における特有の性能レベルの異なるエネルギー量で送信されるようにした方法。
【請求項２４】
請求項２３に記載の方法において、
前記符号による少なくとも２つのコードワードは、最も近いコードワードまで異なる距離を有している方法。
【請求項２５】
請求項２３に記載の方法において、
前記符号による複数のコードワードは、信号座標における複数のポイントに関連付けられ、前記信号座標における少なくとも２つのポイントは、それぞれ最も近いコードワードまで異なる距離を有している方法。
【請求項２６】
請求項２５に記載の方法において、
前記信号座標における複数のポイントは、直交位相シフトキーイング（ＱＰＳＫ）、Ｍアレイ位相シフトキーイング（Ｍ−ＰＳＫ）、Ｍアレイ直交振幅変調（Ｍ−ＱＡＭ）、またはそれらの組み合わせの信号座標におけるポイントから選択される方法。
【請求項２７】
請求項２３に記載の方法において、
前記符号による少なくとも２つのコードワードは等しくない長さを有する方法。
【請求項２８】
請求項２７に記載の方法において、
前記識別されたコードワードを、特有のコード化方式にしたがってエンコードする段階を更に備えた方法。
【請求項２９】
請求項２３に記載の方法において、
送信される前記メッセージは、複数の可能なメッセージのうちの１つであり、前記符号による複数のコードワードは、より高い送信出力レベルで送信される可能性が高いメッセージが、特有の性能レベルを実現するような低い送信出力を要求するコードワードが割り当てられるように複数の可能なメッセージに割り当てられる方法。
【請求項３０】
請求項２３に記載の方法において、
送信される前記メッセージは複数の可能なメッセージのうちの１つであり、前記符号による複数のコードワードは、より送信されるメッセージが、特有の性能レベルを実現するような低い送信出力を要求するコードワードが割り当てられるように複数の可能なメッセージに割り当てられる方法。
【請求項３１】
無線通信システムにおけるアクセスターミナルであって、
アクセスネットワークからの信号を受信し、前記信号が受信された順方向リンクチャンネルの少なくとも１つの特徴を決定するレシーバと、
前記順方向リンクチャンネルの状態のコントロールメッセージ表示を生成するデータプロセッサと、
前記コントロールメッセージを、少なくとも前記コントロールメッセージの一部に基づいて決定された特有の送信出力で送信する送信ユニットと
を備えたアクセスターミナル。
【請求項３２】
無線通信システムにおけるアクセスターミナルであって、
メッセージのためのコードワードを受信し処理するデータプロセッサと、
前記データプロセッサに実効的に結合され、前記処理されたコードワードを送信する送信ユニットとを備え、
前記データプロセッサでは、前記コードワードは、符号で定義された複数のコードワードのうちの１つであり、前記符号のうち少なくとも２つのコードワードは、類似のリンク条件における特有の性能レベルの異なるエネルギー量で送信されるようにしたアクセスターミナル。
【請求項３３】
請求項３２に記載のアクセスターミナルにおいて、
前記データプロセッサに実効的に結合され、前記処理されたコードワードに使用される送信出力レベルの信号表示を与えるコントローラを更に備えたアクセスターミナル。
【請求項３４】
請求項３２に記載のアクセスターミナルにおいて、
受信した信号のためのサンプルを受信し、１つ以上の送信源から送信された信号の受信信号品質を決定する信号品質測定ユニットを更に備え、
前記処理されたコードワードは、前記処理されたコードワードが送信される送信源の受信信号品質に部分的に基づいている出力レベルで送信されるアクセスターミナル。
【請求項３５】
無線通信システムにおける通信ユニットであって、
送信源からの信号を受信し、前記信号が受信された通信リンクの少なくとも１つの特徴を決定するレシーバと、
前記通信リンクの状態のメッセージ表示を生成するデータプロセッサと、
前記メッセージの少なくとも一部に基づいて決定された特有の送信出力において前記メッセージを送信する送信ユニットと
を備えた通信ユニット。
【請求項３６】
請求項３５に記載の通信ユニットを備えたＣＤＭＡシステムにおけるアクセスポイント。
【請求項３７】
無線通信システムにおける装置であって、
送信源からの信号を受信し、前記信号が受信された通信リンクの少なくとも１つの特徴を決定する手段と、
前記通信リンクの状態のコントロールメッセージ表示を生成する手段と、
前記コントロールメッセージの少なくとも一部に基づいて決定された特有の送信出力で前記コントロールメッセージを送信する手段と
を備えた装置。
【請求項３８】
請求項３７に記載の装置において、
前記コントロールメッセージは、符号で定義された複数のコードワードから選択されたコードワードを備えており、
前記符号における少なくとも２つのコードワードは、類似のリンク条件における特有の性能レベルで、異なった送信出力で送信されるようにした装置。
【発明の詳細な説明】
【技術分野】
【０００１】
本発明は、データ通信に係り、更に詳しくは、無線通信システムにおけるメッセージ送信のための斬新でかつ改良された方法と装置に関する。
【背景技術】
【０００２】
無線通信システムは、声やデータなど様々なタイプの通信のために広く適用されている。これらのシステムは、コード分割多元接続（ＣＤＭＡ）、時間分割多元接続（ＴＤＭＡ）、あるいはその他の変調技術に基づく場合がある。ＣＤＭＡシステムは、増強されたシステム能力を備えており、他のタイプのシステムよりも有利な点を備えている。
【０００３】
ＣＤＭＡシステムは、１つ以上のＣＤＭＡ規格をサポートするように設計される。ＣＤＭＡ規格としては、例えば以下に示す（１）から（５）がある。（１）「TIA/EIA-95-B Mobile Station-Base Station Compatibility Standard for Dual-Mode Wideband Spread Spectrum Cellular System」（ＩＳ−９５規格）。（２）「TIA/EIA-98-C Recommended Minimum Standard for Dual-Mode Wideband Spread Spectrum Cellular Mobile Station」（ＩＳ−９８規格）。（３）「3rd Generation Partnership Project」（３ＧＰＰ）と名付けられたコンソーシアムで提案されたＷ−ＣＤＭＡ規格。この規格の内容は、非特許文献１乃至３を含む１セットの文献に具体的に記載されている。（４）「3rd Generation Partnership Project 2」（３ＧＰＰ２）と名付けられたコンソーシアムで提案されたｃｄｍａ２０００規格。この規格の内容は、非特許文献４乃至６を含む１セットの文献に具体的に記載されている。（５）それ以外の規格。上記規格は、参考文献として本明細書に含まれている。ｃｄｍａ２０００規格の高速パケットデータ仕様を実行するシステムは、高データ速度（ＨＤＲ）システムとして参照されている。提案された無線システムは、単一の空気面を使い、ＨＤＲと、（声やファックスサービスなどの）低データ速度サービスとの組み合わせ技術も提供する。
【特許文献１】
ＵＳＰ  ５，０５６，１０９号公報
【特許文献２】
ＵＳＰ  ５，２６５，１１９号公報
【非特許文献１】
3G TS 25.211（Ｗ−ＣＤＭＡ規格）
【非特許文献２】
3G TS 25.212（Ｗ−ＣＤＭＡ規格）
【非特許文献３】
3G TS 25.214（Ｗ−ＣＤＭＡ規格）
【非特許文献４】
「TR-45.5 Physical Layer Standard for ｃｄｍａ２０００ Spread Spectrum Systems」（ｃｄｍａ２０００規格）
【非特許文献５】
「C.S0005-A Upper Layer （Layer 3） Signaling Standard for ｃｄｍａ２０００ Spread Spectrum Systems」（ｃｄｍａ２０００規格）
【非特許文献６】
「C.S0024 ｃｄｍａ２０００ High Rate Packet Data Air Interface Specification」（ｃｄｍａ２０００規格）
【発明の開示】
【発明が解決しようとする課題】
【０００４】
無線通信システムでは、送信に必要な送信出力は、送信エンティティ（例えばアクセスターミナル）と、受信エンティティ（例えばアクセスポイント）との間の伝播（すなわち経路）ロスに依存する。アクセスターミナルがアクセスポイントからさらに遠くなると、経路ロスは一般に増大する。その結果、所望の性能レベル（例えば、フレーム誤差率１％）を満足する信号品質で信号を受信するためには、更なる送信出力を必要とする。しかしながら、この送信のために送信出力を上げると、他のアクセスターミナルからの送信に対する干渉を増加させる。また、送信出力を上げると、移動式無線装置のバッテリー電源の消耗を早めてしまう。このように、本技術分野においては、干渉と、バッテリー電源の消耗とを最小限にするＨＤＲサービスを提供する方法が望まれている。
【課題を解決するための手段】
【０００５】
ここで開示する実施例では、アクセスターミナルからの選択されたメッセージの送信に必要な送信出力量を減少させるための技術を提供する。第１の局面では、この送信出力の減少は、逆方向リンクに対応する予想経路ロスに基づいている。これは、ＨＤＲアクセスターミナルの動作範囲を拡張する傾向にあり、同時に、隣接したセルにおける逆方向リンク干渉を減少させる。もう１つの局面では、この送信出力の減少は、ＨＤＲアクセスターミナルが各々のタイプのメッセージを送信すると予想されている相対周波数に基づいている。これは、動作中のセルにおける逆方向リンク干渉を最小化する傾向にある。上記いずれの局面も、移動式ＨＤＲアクセスターミナルのような移動式無線装置のバッテリー寿命を延長する傾向にあるという利点を有している。ここに記述された技術はまた、アクセスポイントからの順方向リンク送信にも適用可能である。本発明の様々な他の局面もまた存在する。
【０００６】
本発明は、以下に詳述するような様々な局面、実施例、および特徴を実現する方法とシステム要素とを提供する。
【発明の効果】
【０００７】
本発明によれば、干渉と、バッテリー電源の消耗とを最小限にするＨＤＲサービスを提供することができる。
【発明を実施するための最良の形態】
【０００８】
図1は、多くのユーザをサポートする無線通信システム１００を示す図である。無線通信システム１００は、本発明の様々な局面を実現する。システム１００は、１つ以上のＣＤＭＡ規格および／または設計（例えばｃｄｍａ２０００規格やＨＲＤ仕様）をサポートするために設計されうる。簡略のため、システム１００は、２つのアクセスターミナル１０６（遠隔ターミナルあるいは移動局とも称される）と通信している３つのアクセスポイント１０４（基地局とも称される）を含むように示されている。アクセスポイントとそのカバーエリアは、しばしば集合的に「セル」と称される。
【０００９】
適用されているＣＤＭＡシステムによって、各アクセスターミナル１０６は、いかなる瞬間においても順方向リンクによって１つの（場合によってはそれ以上の）アクセスポイント１０４と通信可能である。また、各アクセスターミナル１０６は、アクセスターミナルがソフトハンドオフであるか否かに関わらず、逆方向リンクによって１つ以上のアクセスポイントとの通信が可能である。順方向リンク（すなわちダウンリンク）は、アクセスポイントからアクセスターミナルへの送信に関し、逆方向リンク（すなわちアップリンク）は、アクセスターミナルからアクセスポイントへの送信に関する。
【００１０】
ＣＤＭＡシステムにおいて、セルは、同一の周波数帯（すなわち、周波数再利用：Ｋ＝１）で動作し、使用可能なシステムリソースのより有効な利用を実現する。この場合、各々の送信エンティティ（例えばアクセスターミナル）からの送信が、他の送信エンティティからの送信に対する干渉として作用する。この干渉を最小化し、逆方向リンクにおけるシステム能力を高めるために、各々の送信アクセスターミナルの送信出力が、他の送信アクセスターミナルに対する干渉量を最小化しつつ、所望の性能レベル（例えば、フレーム誤差率：ＦＥＲ＝１％）が達成されるように制御される。この送信出力調整は、各送信アクセスターミナルのために維持されている出力コントロールループによって行われる。出力コントロールループは、所望の性能レベルのために必要な目標信号品質（すなわち、個別のノイズおよび干渉に対する信号比、Ｃ／Ｉ）でアクセスポイントによって受信されるように、アクセスターミナルの送信出力レベルを調整する。
【００１１】
図１で示された例において、アクセスターミナル１０６ａはアクセスポイント１０４ａの近くに配置され、アクセスターミナル１０６ｂはアクセスポイント１０４ａ、１０４ｂ、および１０４ｃのセル境界近辺に配置されている。この例では、両アクセスターミナルとも、送信のために同じコードと変調を用いている。アクセスターミナル１０６ａは、アクセスポイント１０４ａの（相対的に）近くに配置されているので、その送信出力は（相対的に）低いレベルに調節される。これによって、アクセスポイント１０４ａにおいて所望の性能レベルを実現することができる。経路ロスは、送信エンティティと受信エンティティとの間の距離の４乗におおよそ比例する（すなわち、（経路ロス）∝（距離）４）ので、このような低い送信出力が可能となる。この低い送信出力レベルと、アクセスターミナル１０６ａとアクセスポイント１０４ｂ、１０４ｃとの距離が大きいことによって、アクセスターミナル１０６ａからの送信は、アクセスポイント１０４ｂ、１０４ｃで受信された他の送信に対してほとんど干渉をもたらさない。
【００１２】
それに対し、アクセスターミナル１０６ｂは、アクセスポイント１０４ａ、１０４ｂ、および１０４ｃからはるか離れて配置されている。このようにアクセスポイントと離れているために、アクセスターミナル１０６ｂの送信出力は、同じ性能レベルを得るために高いレベルに調節される傾向にある。この高い送信出力レベルと、アクセスターミナル１０６ｂとアクセスポイント１０４ｂ、１０４ｃとの間の距離が近いことにより、アクセスターミナル１０６ｂからの送信は、アクセスポイント１０４ｂ、１０４ｃにおいて受信された他の送信に対し大きな干渉をもたらす傾向にある。
【００１３】
上記の例で説明したように、アクセスターミナルがアクセスポイントの近くに配置している場合には、送信のために低い送信出力しか必要とされないために他のアクセスポイントにおける干渉をほとんどもたらさない。それに対し、アクセスターミナルがアクセスポイントからかなり離れて配置している場合には、送信のためにより高い送信出力が必要とされ、他のアクセスポイントにおいて大きな干渉をもたらす。
【００１４】
本発明では、アクセスターミナルからのメッセージ送信に必要とされる送信出力量を低減させるために、他のアクセスターミナルからの送信に対する干渉をほとんどもたらさない様々な技術が適用されている。これら技術のうちのいくつかを以下に簡単に記述する。
【００１５】
第１の局面では、アクセスターミナルから送信されるメッセージが、異なる受信信号品質でアクセスポイントによって受信されるように定義および／またはコード化される。ある適用では、コードワードの符号が定義される。そこでは、少なくともコードワードの幾つかは、最も近いコードワードに対し異なる距離（すなわち、異なる最小距離ｄｍｉｎ）を有している。ここでは、「符号」は、個々のコードワードの集合として使われている。このコードワードの各々は、（１）具体的な値、すなわちシーケンスのビット数で表される。（２）システムによる独自の意味（例えば、独自のデータ速度）に関連したものとされる。（３）メッセージを全て送信するか、または一部のみを送信するかの選択が可能である。デジタルコードにおいて、最小距離ｄｍｉｎは、受信されたコードワードにおける最小ビットエラー数に関連している。受信されたコードワードは、誤ったコードワードに等しいか、あるいはそれよりも大きな相関をもたらす。また最小距離ｄｍｉｎは、（典型的には多次元の）信号座標におけるポイント間の距離に関連している。大きな最小距離をもつコードワードは、低い信号品質で正しく検出される。そして、小さな最小距離をもつコードワードは、典型的には、適切な受信のためにはより高い信号品質を必要とする。
【００１６】
ある実施例では、大きな最小距離を持つコードワードは、メッセージに対して優先的に割り当てられ、アクセスポイントからかなり離れて配置しているアクセスターミナルによってより送信されるようになる。通常、このアクセスポイントは、大きな経路ロスのために、高い送信出力レベルでメッセージを送信する必要がある。この符号とコードワードの割り当て方式によって、アクセスターミナルは、アクセスポイントからかなり離れて位置している場合であっても、より少ない出力でメッセージを送信することができる。更に、この割り当て方式は、隣接セルの他のアクセスターミナルからの送信に対する干渉量を減少させ、アクセスターミナルの範囲を拡張する。
【００１７】
その他の実施例では、大きな最小距離のコードワードは、頻繁に送信されたメッセージに対して優先的に割り当てられる。これらのメッセージは、低い信号品質で受信される場合があるので、他の送信アクセスターミナルからのメッセージに対する干渉をより低減する。低減された干渉により、逆方向リンクの能力を高めることができる。
【００１８】
もう１つの局面では、送信されるメッセージは、信号座標内の異なるポイントに割り当てられる。この局面では、最小距離ｄｍｉｎは、信号座標におけるポイントと、同一信号座標内で最も近い他のポイントとの間の距離を指している。信号座標内のポイントは、符号のコードワードとして表示される。そして、直交位相シフトキーイング（ＱＰＳＫ）、Ｍアレイ位相シフトキーイング（例えば８−ＰＳＫ）、直交振幅変調（例えば１６−ＱＡＭ、 ６４−ＱＡＭ）等といった様々な変調フォーマットから選択される。様々に定義された位置におけるポイントを有するようなカスタム信号座標も生成されうる。信号座標におけるポイント位置は、各ポイントが異なる信号品質で受信されるように定義される（すなわち、各ポイントは、最も近い隣接ポイントとの距離がそれぞれ異なっている。）。ある実施例では、より高い送信出力レベルにおいて送信されると予定されたメッセージは、より低い信号品質で受信されるポイントに割り当てられる。これによって、このメッセージは、より低い送信出力で送信される。また他の実施例では、より頻繁に送信されたメッセージが、より低い信号品質で受信されるポイントに割り当てられる。これによって、より干渉が少なく、増強されたリンク能力をもたらす。
【００１９】
更に別の局面では、メッセージを送信するために用いられる送信出力が、使用されたコードワードの長さと、送信期間の長さとによって調整される。例えば、アクセスターミナルから送られるメッセージは、それぞれ異なる長さで定義されている。ある適用例において、コードワードの符号は、少なくともコードワードの幾つかは異なる長さを持つように定義される。与えられたリンク条件では、より短い長さのコードワードは、より長い長さのコードワードに関連したより短い時間間隔、すなわち同一の時間間隔に亘ったより低い送信出力レベルを除く同一の送信出力レベルで送信されうる。より短い長さのコードワードは、アクセスポイントからかなり離れて配置されたアクセスターミナルによってより送信されるメッセージに割り当てられる。これは、システムにおける干渉の総量を減少させる傾向にある。代わりにあるいは更に、より短い長さのコードワードは、より一般的に送信されたメッセージに割り当てられる。これは、アクセスターミナルのバッテリー寿命を延ばす傾向にある。
【００２０】
ここに記述されたメッセージ送信方式は、定義されたメッセージの何れのセットに対しても使用されうる。このメッセージは、順方向または逆方向リンクの何れのチャンネルでも送信される。これらのメッセージ送信方式は、他の無線通信システムや、１つ以上の他のＣＤＭＡ規格および／または設計をサポートしている他のＣＤＭＡシステムにも適用されうる。
【００２１】
明確にするため、様々な局面、実施例、および発明の特徴を、高データ速度（ＨＤＲ）システムにおける逆方向リンクのために定義されたデータ速度コントロール（ＤＲＣ）チャンネルと連携した具体的な適用例として記述する。開示された局面と実施例は、高速パケットデータサービスとボイスサービスとを同時にサポートするハイブリッドシステムのような他のシステムや、上述したその他のシステムに対しても等しく適用可能である。
【００２２】
ＨＤＲシステムでは、各々のアクセスポイントは、カバー範囲にあるアクセスターミナルへ、一度に、時間分割多重化方式でパケットデータを送信する。アクセスポイントは、可能であれば、アクセスターミナルへパケットデータをピーク送信出力レベルあるいはそれに近い値で送信する。アクセスターミナルがデータ送信を要求する場合にはいつでも、選択されたアクセスポイントにパケットデータリクエストをＤＲＣメッセージ型式で送信する。アクセスターミナルは、多くのアクセスポイントから受信した順方向リンク信号（例えばパイロット参照）の信号品質を測定し、最良の受信信号品質のアクセスポイントを決定し、最良の受信リンクでサポートされた最速のデータ速度を認識し、認識したデータ速度を示すＤＲＣメッセージを送信する。このＤＲＣメッセージは、ＤＲＣチャンネルに送信され、最良の受信信号品質で、選択されたアクセスポイントに向けられる。この選択されたアクセスポイントは、ＤＲＣメッセージを受信し、認識されたデータ速度でアクセスターミナル向けのデータ送信をスケジュールする。
【００２３】
図１に示すように、アクセスターミナル１０６ａはアクセスポイント１０４ａの（相対的に）近くに配置しており、経路ロスは小さい傾向にある。他の送信アクセスターミナルへの干渉を最小限にしながら所望の性能レベルを維持するために、各々のアクセスターミナルからの送信は、所望の性能レベルに必要とされる目標信号品質で受信されるように出力制御される。経路ロスは小さいので、アクセスターミナル１０６ａは、より低い送信出力レベルで認識されたデータ速度でＤＲＣメッセージを送信することができる。更に、アクセスポイントでは、目標信号品質で受信される。それに対し、ターミナル１０６ｂは、アクセスポイント１０４ａからかなり離れて配置しているので、大きな経路ロスとなる傾向にある。この大きな経路ロスによって、ターミナル１０６ｂは、目的信号品質を達成するためにより高い送信出力レベルでＤＲＣメッセージを送信することが必要とされる。
【００２４】
図２は、ＨＤＲシステムで使用されているパケット送信の図である。先ず第１に、アクセスターミナルからのデータ送信要求が受信される。それに応答して、１つ以上の物理層パケットがアクセスポイントにより生成され、時間スロットｎで始まるアクセスターミナルに送信される。各々のパケットは、固有のデータビット数（例えば、ＨＤＲシステムにおける１０２４ビット）を含み、１つ以上の「スロット」として送信される。各々のパケットのスロット数はデータ速度に依存し、図２に示すパケットの例では４つのスロットが含まれている。各々のスロットについて、アクセスターミナルはスロットを受信し、処理し（例えば、デカバ、復調、デインターリーブ、およびデコードなど）、更にパケットが正しく受信されているか否かを判定する。アクセスターミナルは、部分的に送信されたパケットを再生することができる。パケットのために生成されたデータ変調シンボルは、低いデータ速度で数回繰り返され送信されるからである。
【００２５】
ＨＤＲシステムでは、データ送信を要求している各々のアクセスターミナルは、１つ以上のアクセスポイントから受信した順方向リンク信号の受信品質を繰り返し測定する。アクセスターミナルはその後、最良と測定された順方向リンク信号品質のアクセスポイントにＤＲＣメッセージを向ける。ＤＲＣメッセージの送信は、要求されたデータ送信がアクセスターミナルによって正しく受信されるまで継続する。逆方向リンク能力の一部は、データ送信を要求しているアクセスターミナルによって、ＤＲＣメッセージの継続した送信のために利用される。
【００２６】
ある実施例では、可能なら、ＤＲＣメッセージが、データが要求されている特定のアクセスポイントを認識し、データが送信されるデータ速度を示す。アクセスポイントは、各々の時間スロットの間、複数のアクセスターミナルからのＤＲＣ要求を受信する一方、時間スロットあたりに１つのアクセスターミナルのみに送信する。アクセスターミナルは、各々のＤＲＣメッセージに応じて順方向リンク送信を受信できないので、アクセスターミナルは全ての時間スロットにおいてＤＲＣメッセージを連続的に送信する。万が一、アクセスターミナルが逆方向リンク時間スロットにＤＣＲメッセージを送信できない場合には、一般的に、順方向リンク時間スロットに対応するいかなる順方向リンクデータをも受信しない。
【００２７】
図３は、ＨＤＲシステムに適用され、ＤＲＣメッセージと他の情報（例えばパイロット、逆方向速度インジケータ（ＲＲＩ）、承認（ＡＣＫ）、およびパケットデータ）を送信できる逆方向リンクの構成を示すブロック図である。信号構成の一例は、前記したｃｄｍａ２０００規格において詳細に記述されている。簡略のため、ＤＲＣメッセージに対する処理のみについてここで記述する。ＨＤＲシステムは、順方向リンクにおけるデータ送信において、多くの異なったデータ速度をサポートしている。サポートされている順方向リンクデータ速度の各々は、それぞれのＤＲＣ値と関連している。ｃｄｍａ２０００規格では、１６の可能なＤＲＣ値の各々が、４ビット値で表される。ＤＲＣプロセッサ３３０は、送信されるメッセージを表している認識されたデータ速度においてＤＲＣ値を受信し、メッセージにコードシーケンスを与える。
【００２８】
ＤＲＣプロセッサ３３０内では、バイ直交エンコーダ３３２によって、ＤＲＣ値が、割り当てられた８ビットのバイ直交コードワード（すなわちＤＲＣコードワード）にマッピングされる。その後、８ビットＤＲＣコードワードは、ブロック３３４において２回繰り返され、アクティブスロット毎に送信される１６バイナリシンボルが生成される。このバイナリシンボルは、信号ポイントマッピングエレメント３３６によってマッピングされる（例えば、「０」→＋１、「１」→−１）。各々のマッピングされたバイナリシンボルは更に、Ｗａｌｓｈカバージェネレータ３４０から供給される８アレイＷａｌｓｈ関数Ｗｉ８でカバナー３３８によってカバーされる。このＷａｌｓｈ関数Ｗｉ８は、アクセスターミナルへの最良のリンクをもつ選択されたアクセスポイントに割り当てられたものである。
【００２９】
２つの繰り返されたＤＲＣコードワードにおける１６バイナリシンボルは、カバナー３３８によって１２８のＷａｌｓｈチップを生成するために使用される。各々のＷａｌｓｈチップはさらに１６ビットＷａｌｓｈ関数Ｗｉ１６（すなわち、「１１１１１１１１００００００００」のシーケンス）を用いてカバナー３４２によってカバーされる。従って、各々のアクティブスロットのため、カバナー３３８からの１２８のＷａｌｓｈチップは、２０４８のチップを生成するためにカバーされる。その後、ＤＲＣメッセージのための２０４８のチップのシーケンスは、結合変調器３５０内の他のデータと結合され、変調され、１つの時間スロットに亘って送信される。１つの時間スロットは、ｃｄｍａ２０００規格では１．６６７ミリ秒と定義されている。
【００３０】
表１は、ｃｄｍａ２０００規格において定義されているように、１６のＤＲＣ値およびそれに対応するＤＲＣコードワードのリストである。上述したように、ＤＲＣ値は、ｃｄｍａ２０００規格で定義されたデータ速度と、ＤＲＣ値との間のマッピングを用いて順方向リンクデータ速度を表している。
【表１】
2005505955.tif 000002
表１は、８アレイＷａｌｓｈ関数Ｗｉ８を示している。８アレイＷａｌｓｈ関数Ｗｉ８は、アクセスポイントに割り当てられる。ＤＲＣコードワードを、選択されたアクセスポイントに割り当てられた特定のＷａｌｓｈ関数Ｗｉ８で、認識されたデータ速度にカバーすることによって、選択された近隣のアクセスポイントは、ＤＲＣメッセージが送信されたか否かを容易に判定できる。Ｗａｌｓｈ関数Ｗｉ８が割り当てられたアクセスポイントのみが、アクセスターミナル向けのスケジューリングデータ用ＤＲＣメッセージを保持する。
【表２】
2005505955.tif 000003
表１に示すように、ＤＲＣコードワードは、各々のコードワード（例えば「００００  ００００」）が、８ビット位置からなるコンプライメント（例えば「１１１１  １１１１」）と異なるように、更に４ビット位置からなる他のコードワードと異なるように選択される。この符号からなる１６のＤＲＣコードワードによって、コードワード間の最小距離ｄｍｉｎは４に等しい。送信されたＤＲＣコードワードでは、万が一、コードワードにおける最小距離ｄｍｉｎを２で除したビット数が誤受信されると、アクセスポイントは、このコードワードを正しく検出することができる。さもなければ、仮に、最小距離ｄｍｉｎを２で除したビット数以上のビット数が誤受信され、コードワードが誤検出される場合がある。
【００３１】
本発明の局面に従うと、コードワードの符号は、少なくともコードワードのいくつかが、様々に異なった最小距離を持つように定義される。符号に関し、あるコードワードでは最小距離が平均値よりも大きい一方、他のコードワードでは最小距離が平均値よりも小さいものもある。小さな最小距離を持つコードワードは、所望の性能レベル（例えばＦＥＲ１％）を得るのに必要とされる高いＣ／Ｉを達成するために、より高い出力レベルで受信される必要がある。それに対して、大きな最小距離を持つコードワードは、同じ性能レベルのためにはより低いＣ／Ｉしか要求されないので、低い出力レベルで受信されても良い。
【００３２】
ある実施例では、より大きな最小距離を持つコードワードは、より高い送信出力レベルを要求するアクセスターミナル（例えば、アクセスポイントからかなり離れて配置され、より大きな経路ロスを有するアクセスターミナル）によってより送信されるメッセージに割り当てられる。他の実施例では、より小さな最小距離のコードワードは、より頻繁に送信されるメッセージに割り当てられる。
【００３３】
図４（ａ）は、最も近いコードワードに対して等しい最小距離を有するコードワードである符号をグラフ的に示す図である。この例では、２次元平面における円４１０において等間隔で配置されたポイント４１２としてコードワードが表されている。このような等間隔の配置のため、隣接する一対のコードワード間の距離はいずれもｄＡである。円４１０の中心から特定のポイント４１２までの距離は、このポイントにおける送信出力（ＰＳ）として表される。また、このポイントから外に向かう（すなわち、円４１４の端部に向かう）距離は、ノイズ（ＰＮ）として表すことができる。この例において、万が一、ノイズがｄＡ／２未満（すなわちＰＮ＜ｄＡ／２）であるならば、いずれのコードワードも正しく受信される。万が一、ノイズがｄＡ／２以上であるならば、コードワードは、もう１つのコードワード（隣接するコードワード）として誤検出される可能性がある。コードワードの等間隔配置により、この符号のコードワードは、ノイズに対して等しく影響される。従って、特定の所望性能レベルを得るためには、同じ受信信号品質（Ｃ／Ｉ）が各々のコードワードに対して要求される。
【００３４】
図４（ｂ）は、最も近いコードワードに対して等しくない間隔を持つコードワードの符号をグラフ的に示す図である。この例では、コードワードは、２次元平面における円４２０上に等しくない間隔で配置されたポイント４２２として表される。８つのコードワードは、隣接する一対のコードワード間の距離が、ｄＢ１からｄＢ４に対しては、ｄＢ１＜ｄＢ２＜ｄＢ３＜ｄＢ４になるように配置されている。コードワードＡは最も近いコードワードＢ、Ｈに対し最も小さい距離を有するので、ノイズに対しより影響を受ける。万が一、ノイズがｄＢ１／２未満（すなわちＰＮＡ＜ｄＢ１／２）であるならば、このコードワードは正しく受信されるであろう。その結果、所望の性能レベルを得るために、より高い受信信号品質（Ｃ／Ｉ）が必要とされる。
【００３５】
それに対し、コードワードＥは、最も近いコードワードＤ，Ｆに対し最も長い距離を有するので、ノイズの影響は小さい。このコードワードは、仮に、ノイズがｄＢ４／２より小さければ（すなわちＰＮＥ＜ｄＢ４／２）、正しく受信されるであろう。従って、同じ性能レベルを得るために、より低い受信信号品質が要求される。すなわち、このコードワードは、より低い送信出力レベルでの送信でよくなる。
【００３６】
平らな１枚の紙面上においてグラフィックに例示することの容易さから、図４（ａ）および図４（ｂ）を例として選んだ。当該技術に熟達した者であれば、距離メートル法が適用される他の単一あるいは多重次元空間に亘るコーディングに対しても、同じ原理が同様に適用できるものと理解できる。
【００３７】
図１に示すように、アクセスターミナル１０６ａは、アクセスポイント１０４ａの（相対的に）近くに配置している。経路ロスがより小さいために、アクセスターミナル１０６ａは、アクセスポイントからより高いデータ速度（例えば６１４．４ｋｂｐｓ以上）で送信を要求する傾向にある。それに対し、ターミナル１０６ｂは、アクセスポイント１０４ａからかなり離れて配置されている。この場合、大きな経路ロスのために、アクセスターミナル１０６ａは、より低いデータ速度（例えば、７６０８ｋｂｐｓ以下）でアクセスポイントからの送信を要求する傾向にある。
【００３８】
万が一、ｃｄｍａ２０００規格における場合の様に、ＤＲＣコードワード間の最小距離が相対的に一様である場合、全てのコードワードは、目標信号品質でアクセスポイントで受信されるようにアクセスターミナルによって送信されねばならない。これは、大きな経路ロスを伴うアクセスターミナルからのコードワードが高い送信出力レベルで送信されるように、また小さな経路ロスを伴うアクセスターミナルからのコードワードが低い送信出力レベルで送信されるように、送信出力を制御することによって実現される。図１の例に示すように、万が一、アクセスターミナル１０６ａ、１０６ｂの両方が、アクセスポイント１０４ａからのデータ送信を同時に要求した場合、アクセスターミナル１０６ｂは、アクセスターミナル１０６ａよりも高い送信出力レベルでＤＲＣメッセージを送信することによって、アクセスポイント１０４ａにおける目標受信信号品質を達成する。
【００３９】
距離に対する経路ロスは、順方向および逆方向リンクに対してともにおおよそ等しい。その結果、データ速度が次第に低くなる（これは不利であるが必要である）ＤＲＣメッセージが、次第に高くなる送信出力レベルで送信される。これは、アクセスポイント１０４ａに隣接したセルの逆方向リンク信号に対する干渉を増加させる場合がある。より長い時間周期に亘っての高い送信出力は、特にバッテリー出力で動作する移動ユニットの場合、アクセスターミナルの動作寿命をはるかに短縮させることがある。
【００４０】
表３は、符号を示している。ここでは、少なくともコードワードの幾つかは異なる最小距離を有している。またこの符号は、ＤＲＣメッセージに使用される。この例では、符号は、１６のＤＲＣ値（０、１、〜１５）に割り当てられた１６のコードワード（Ａ、Ｂ、〜Ｐ）を含んでいる。これら１６のＤＲＣ値は、１６までのデータ速度｛Ｒ０、Ｒ１、… Ｒ１５｝に対して用いられ得る。符号における各々のコードワードは、表３の第４列と第８列に記載されているように、最も近いコードワードに対して特定の距離ｄｘ（すなわち、特定の最小距離）を有している。
【表３】
2005505955.tif 000004
実施例において、符号に対するコードワードは、コードワードに対する最小距離が以下の関係を持つように定義されている。
ｄ０≧ｄ１≧ｄ２≧… ≧ｄ１３≧ｄ１４≧ｄ１５、およびｄ０＞ｄ１５。
上記式に示されるように、符号におけるコードワードの少なくともいくつか（必ずしも全てである必要はない）は、異なる最小距離を有する。ある実施例では、符号におけるコードワードが、より高い送信出力レベルでより送信されるようなメッセージが、より大きな最小距離を有するコードワードに割り当てられるように割り当てられる。
【００４１】
上述したように、ＤＲＣメッセージにとっては、次第に低くなるデータ速度に対し、次第に高くなる送信出力レベルが一般的に必要とされる。従って、ある実施例では、最小距離が次第に大きくなるようなコードワードが、次第に低くなるデータ速度に割り当てられるようにコードワードが割り当てられる。表３に示すようなコードワードの割り当てでは、データ速度は、以下の式を満たすように定義される。
Ｒ０≦Ｒ１≦Ｒ２≦…≦Ｒ１３≦Ｒ１４≦Ｒ１５。
【００４２】
上述した符号とコードワードの割り当てに基づいて、より大きな最小距離を有するコードワードに割り当てられ、アクセスポイントからはるかに離れて配置されたアクセスターミナルは、より低いデータ速度でのデータ送信を要求する傾向にある。このコードワードは、平均最小距離のコードワードを要求するよりもむしろ低い相対送信出力レベルで送信される。
【００４３】
上記の実施例では、異なるコードワードが、異なるＣ／Ｉを要求する送信に対応する順方向リンクにおけるあらゆるタイプの送信に拡張することができる。データ速度に基づくコードワードの割り当ては、ＨＤＲシステムにも適用される。というのも、等しい品質で受信されるために、低いデータ速度は、高いデータ速度よりも、低いＣ／Ｉを必要とするからである。従って、ＨＤＲシステムは、低いデータ速度を、アクセスポイントから離れて配置されたユーザに割り当てる。このコードワード割り当ては、いくつかの他の方法においても、要求されるＣ／Ｉに基づいて行われる。例えば、特定のシステムでは、全てのユーザに対して同じデータ速度を割り当てるかもしれないし、別の普及コードを割り当てるかもしれない。万が一、その普及コードが同じでない場合には、アクセスポイントに近いユーザには、遠くに位置するユーザに割り当てられたものよりも干渉されやすい普及コードが割り当てられる場合がある（必ずしも良くないが）。同じ概念をＦＤＭＡシステムに適用することも可能である。ＦＤＭＡシステムには、干渉の多い周波数帯（例えば、無許可の周波数帯）が存在する。
【００４４】
いくつかの他の実施例では、より頻繁に送信されたメッセージが、より大きな最小距離を有するコードワードに割り当てられるように、符号によるコードワードが割り当てられる。これにより、一般に送信されたメッセージが、より低い出力レベルで送信され、干渉が低減するとともにリンク能力が向上する。
【００４５】
上述したＨＤＲシステムでは、８ビットＤＲＣコードワードが繰り返され、２度カバーされることによって、各々のアクティブスロットに対して２０４８のチップを生成する。異なる最小距離を持つコードワードを有する符号では、コードワードは、８，１６，３２，６４のようにして２０４８までの長さで定義される。一般的に、より長いコードワード長さは、可変最小距離を有する１セットのコードワードを、より柔軟に選択することを可能とする。いかなる長さのコードワードであっても、本発明の範囲内において使用することが可能である。
【００４６】
表４は、最も近いコードワードに対して異なる距離を有する４つのコードワードからなる単純な符号の例を示している。この例において、符号によるコードワードＡは、コードワードＢ、Ｃ、Ｄに対してそれぞれ４，３，３の距離を有している。コードワードＢは、コードワードＡ，Ｃ，Ｄに対してそれぞれ４，１，１の距離を有している。符号における他のコードワードに対する距離が長いために、コードワードＡは、低いＣ／Ｉで正しく受信されうる。これにより、コードワードＡは、より低い送信出力レベルで送信されるようになる。従って、コードワードＡは、有利なことに、サポートされたデータ速度のなかで最も低い値（例えば、３８．４ｋｂｐｓ）に割り当てられる。その他のコードワードは、最小距離に基づく同様な方法によって、サポートされた他のデータ速度に割り当てられる。
【表４】
2005505955.tif 000005
本発明のもう一つの局面に従うと、送信されるメッセージは、信号座標における異なるポイントに割り当てられる。信号座標は、例えばＱＰＳＫ、８−ＰＳＫ、１６−ＱＡＭ、３２−ＱＡＭ、６４−ＱＡＭなどのような様々な変調フォーマットからのポイントを含みうる。信号座標におけるポイントの位置と、メッセージに対するそのポイントの割り当ては、例えば、メッセージに対して予定された送信出力レベルや、メッセージの周波数等といった様々な要因に依存しうる。
【００４７】
図５（ａ）は、異なる変調フォーマットから選択された７つのポイントを有する信号座標を示す図である。この図において、信号座標における各々のポイントは、送信されるそれぞれのメッセージに関連している。第１，２および３象限では、ＱＰＳＫが適用され、３つの異なるメッセージがポイント５１２ａ、５１２ｂ、５１２ｃに割り当てられる。そして第４象限では、１６−ＱＡＭが適用され、４つの異なるメッセージがポイント５１４ａ，５１４ｂ，５１４ｃおよび５１４ｄに割り当てられる。
【００４８】
図５（ａ）を見て分かるように、これらポイントは、ＱＰＳＫから１６−ＱＡＭへの変調要求が増加するに伴って互いに近接する。ＱＳＰＫにおいてはポイント５１２ａ，５１２ｂおよび５１２ｃの間の距離がより大きくなることによって、これらのポイントは、ノイズによる誤検出をより免れるようになる。図５（ａ）に示された例に着目すると、ポイント５１２ｂの最小距離は、ポイント５１２ａ、５１２ｃの最小距離よりも大きい。座標内におけるポイントは、図示されるように矩形である必要はないが、所望の相対送信レベルを生成することができるような方式で配置されればよい。例えば、ダブルログスケール（すなわち、ｘ座標、ｙ座標ともにログ）は、最小距離においても略減少するので、座標におけるポイントを定義するのに使用される。
【００４９】
ＱＰＳＫポイントの中には、他よりも低い送信出力レベルで送信されるものがある。これらのＱＰＳＫポイントは、より高い送信出力レベルで送信されやすいメッセージ（例えば、アクセスポイントからはるかに離れて配置されたアクセスターミナルからの）に割り当てられる。代わりに、ＱＰＳＫポイントは、より頻繁に送信されたメッセージに割り当てられうる。これは、より大きな最小距離によって、より小さな出力で送信されうるので、アクセスポイントにおける干渉を弱める結果になる。逆に、１６−ＱＡＭであるポイント５１４ａ、５１４ｂ、５１４ｃおよび５１４ｄは、最小距離が小さいために、（ＱＰＳＫに関連する）ノイズによる誤検出に対してより影響を受けやすくなる。その結果、１６−ＱＡＭポイントは、ＱＰＳＫポイントよりも高い送信出力レベルで送信されうる。
【００５０】
図５（ｂ）は、４つの異なる変調フォーマットから選択された２３のポイントを有する信号座標の図である。図５（ｂ）を見て分かるように、ＱＰＳＫから８−ＰＳＫ、１６−ＱＡＭ、および６４−ＱＡＭに対する変調要求が増加すると、各ポイントは、互いにより近づく。また、近隣のポイントまでの距離がより遠いポイントは、より低い送信出力レベルで送信され、より高い送信出力で送信されやすいメッセージ（例えば、アクセスポイントからかなり離れて配置された遠隔ターミナルによって送信されるメッセージ）に割り当てられる。逆に言えば、近隣のポイントまでの距離が小さいポイントは、より高い送信出力レベルで送信され、より低い送信出力で送信される傾向にあるメッセージ（例えば、アクセスポイントに近接して配置された遠隔ターミナルによって送信されるメッセージ）に割り当てられうる。
【００５１】
他の信号座標もまた、メッセージのセットとして定義されうる。信号座標におけるポイントは、幾つかの特有のポイントとそれに最も近いポイントとの間の距離が、そのメッセージに使用されると予定された送信出力レベルに基づくように定義される。より高い送信出力レベルで送信されると予定されているメッセージは、最も近いポイントに対し大きな距離を有するポイントに対応付けられる。
【００５２】
本発明のもう１つの局面にしたがうと、アクセスターミナルから送信されるメッセージは、可変長さのコードワードに対応している。特定のリンク条件のため、より長い長さのコードワードに対応したより短い時間間隔を除き、より短い長さのコードワードが、同一の送信出力レベルで送信される。より短い長さのコードワードもまた、同じ送信出力レベルで送信されうる。しかしながら、ＩＳ−９５システムにおける逆方向リンクでなされるように繰り返されパンクされうる。代わりに、これらより短い長さのコードワードは、より長い長さのコードワードと同様に、減少した送信出力レベルであるが同じ時間間隔に亘って送信されうる。より短い長さのコードワードは、より一般的な送信メッセージに割り当てられうる。これは、システムにおける干渉の総量を減少させる傾向にある。代わりにあるいは更に、より短い長さのコードワードは、アクセスポイントからかなり離れて配置されたアクセスターミナルによって高い送信出力で送信される傾向にあるメッセージに割り当てられ得る。これもまた、干渉の総量を減少させる傾向にある。コードワードは、送信に先立ってエンコードされる。
【００５３】
コードワードは、関連するメッセージの発生の確率に基づいて定義される。より高い発生確率のメッセージは、より短い長さのコードワードに関連付けられており、より低い発生確率のメッセージは、より長い長さのコードワードに関連付けられている。これらコードワードの発生は、Ｈｕｆｆｍａｎコードを生成するために使用されたものと同様な方法で達成されうる。なお、Ｈｕｆｆｍａｎコードは、本技術分野では公知であるので、ここでは記載しない。
【００５４】
さて図１に戻ると、アクセスポイントからはるか離れたエリアは、アクセスポイントの近くのエリアよりも、システムがカバーするエリアの大部分を含んでいる。万が一、システムのカバーするエリアに亘ってアクセスターミナルが等しく配置されるような場合には（仮にそれが事実ではないにせよ）、セルからかなり離れて更に多くのターミナルが配置される傾向にある。これらのアクセスターミナルはまた、低いデータ速度でデータ通信を要求する傾向にある。
【００５５】
表５は、可変長さを有しＤＲＣ値に割り当てられたコードワードの符号の例を示すリストである。この例において、０から１５までのＤＲＣ値は、減少しながら送信されると考えられる。このように、最も確からしいＤＲＣ値である０は、最も短い長さである２のコードワードに割り当てられる。次に確からしいＤＲＣ値である１は、次に短い長さである３のコードワードに割り当てられる。このようにして、最も不確かなＤＲＣ値である１５は、最も長い長さである７のコードワードに割り当てられる。
【表５】
2005505955.tif 000006
ある実施例では、より短い長さのコードワードが、それらの長さに対応した短い時間周期内に送信される。もう一つの実施例では、より短い長さのコードワードは、より長い長さのコードワードと同一の時間間隔（例えば、全体の時間スロットに亘って）内に、弱い送信出力レベルで送信される。この場合、コードワードは、時間スロット内に有効数のチップで満たすのに必要な回数繰り返される。より長い送信周期によって、より短い長さのコードワードであっても、より低い出力レベルでの送信が可能となる。
【００５６】
様々な処理、コード化および／または送信方式が、可変長さのコードワードと組み合わされることによって使用されうる。これらの方式が適用されることによって、コードデータをより正しく検知できるようになるので、特定の性能レベルを実現できるようになる。
【００５７】
ある方式では、送信に先立って可変長のコードワードがエンコードされる。このエンコードは、コンボリューションコードまたは本技術分野にて知られている他のコードに基づいて行われる。与えられたコードビット数に着目した場合、より長い長さのコードワードの場合よりも、より短い長さのコードワードの方がより強いコードでエンコードされる。より強いコードによって、エンコードされたコードワードは、低い受信信号品質でも正しく受信されるようになる。これによって、コードワードは、より低い送信出力レベルであっても送信されるようになる。
【００５８】
図６は、本発明の種々の局面に適用可能なアクセスターミナル１０６の実施例を示すブロック図である。順方向リンクでは、アクセスポイントからの信号は、アンテナ６１２によって受信され、デュプレクサ６１４を介してＲＦレシーバユニット６２２に供給される。ＲＦレシーバーユニット６２２は、受信信号を（例えば、フィルタや、アンプや、ダウンコンバータによって）処理し、デジタル化してサンプルとして提供する。復調器６２４は、サンプルを受信すると、これを（例えばデスプレッド、デカバ、パイロット復調）処理し、リカバされたシンボルとして提供する。復調器６２４は、受信信号の多重インスタンスを処理し、結合リカバシンボルを生成するレークレシーバを実装していても良い。受信データプロセッサ６２６は、その後、リカバシンボルをデコードし、受信フレームをチェックし、出力データを提供する。
【００５９】
ＲＦレシーバーユニット６２２からのサンプルはまた、アクセスポイントからの受信信号の品質を（例えば受信パイロットに基づいて）測定するＲＸ信号品質測定ユニット６２８に提供される。この信号品質測定は、特許文献１および特許文献２に記載された方法を含む様々な技術によってなされる。
【００６０】
コントローラ６３０は、アクセスポイント用の信号品質測定結果を受信し、これに基づいて最良の受信リンクを決定し、最良の受信リンクによってサポートされているデータ速度を決定し、このデータ速度に対応するコードワードを決定する。このコードワードは、処理および選択されたアクセスポイントへ返信されるために送信データプロセッサ６４２に供給される。
【００６１】
逆方向リンクにおいては、メッセージ（すなわちコードワード）が送信（ＴＸ）データプロセッサ６４２によって処理され、更に復調器（ＭＯＤ）６４４によって（例えば、スプレッド、復調などにより）処理され、ＲＦ  ＴＸ  ユニット６４６によって（例えば、アナログ変換、増幅、フィルタリング、直交変調等により）調整された後に逆方向リンク信号が生成される。逆方向リンク信号は、その後、デュプレクサ６１４、更にはアンテナ612を介してアクセスポイントへ送信される。
【００６２】
図７は、本明細書に記載された様々な方式に対するＤＲＣメッセージの処理に適用されるＴＸデータプロセッサ６４２の一部の実施例を示すブロック図である。ＤＲＣプロセッサ６６０内では、ＤＲＣメッセージのためのＤＲＣ値（または、ＤＲＣシンボル）が、コードワードルックアップエレメント６６２によって、割り当てられたコードワードにマッピングされる。マッピングされたコードワードは、異なる最小距離、すなわち異なる長さを持つ多くのコードワードのうちの１つである。あるいは、このマッピングされたコードワードは、信号座標における特定ポイントを表している場合もある。特定の構成では、このマッピングされたコードワードは、リペティション／パンクチャエレメント６６４によって繰り返しおよび／またはパンクチャされうる。また、リペティション／パンクチャエレメント６６４を備えていない構成のＤＲＣプロセッサ６６０もある。
【００６３】
コードワードは、その後、信号ポイントマッピングエレメント６６６によってマッピングされる。ＤＲＣメッセージが信号座標の異なるポイントにマッピングされた方式のために、信号ポイントマッピングエレメント６６６は、受信したコードワードを対応するポイントにマッピングする。その他の方式のために、コードワードは上述したようにしてマッピングされる（例えば、「０」の→＋１、「１」→−１になるようにマッピングされる。）。マッピングされたコードワードは、その後、ゲインエレメント６６７によってスケールされる。上述したように、より大きな最小距離のコードワードは、より少ない送信出力で送信されうる。そして、このコードワードは、ゲインエレメント６６７によって縮小される。逆に言えば、より小さな最小距離のコードワードは、ゲインエレメント６６７によって拡大される。すなわち、このコードワードは、受信された信号品質に関連したファクタによってスケールされる。
【００６４】
スケール処理されたコードワードは、その後、Ｗａｌｓｈカバージェネレータ６７０から供給される８アレイＷａｌｓｈ関数Ｗｉ８でカバナー６６８によってカバーされる。このＷａｌｓｈ関数Ｗｉ８は、アクセスターミナルに対して最良のリンクを持つ選択されたアクセスポイントに割り当てられたものである。カバナー６６８からの各々のＷａｌｓｈチップは、さらに１６ビットＷａｌｓｈ関数Ｗｉ１６（すなわち「１１１１１１１１００００００００」のシーケンス）を備えたカバナー６７２によってカバーされる。ＤＲＣメッセージのためのチップのシーケンス（例えば２０４８）は、その後、結合器内で他のデータと結合される。更に、この結合されたデータは、次の処理エレメント（例えば変調器６４４）に提供される。アクセスターミナルからのメッセージ送信の処理は、図６に示されたものと類似の構成を使って実現されうる。このメッセージに使われた特定の方式によって、このメッセージの検出は、復調器（例えば復調器６２４）または受信データプロセッサ（例えばプロセッサ６２６）の内部でなされる。万が一、メッセージが信号座標上において異なるポイントに関連している場合、復調器は、受信ポイントと信号座標における可能性のあるポイントとを比較し、この比較結果に基づいて最も確からしい送信メッセージを宣言することができる。そして、万が一、メッセージが（異なる最小距離、すなわち異なる長さの）他のコードワードに関連している場合には、受信データプロセッサは、受信されたコードワードを処理し、受信したコードワードと可能なコードワードとの比較に基づいて最も確からしい送信メッセージを宣言することができる。
【００６５】
明確化のため、本発明のメッセージ送信方式の様々な局面、実施例、および特徴がＨＤＲシステムにおけるＨＤＲメッセージのために特に記載されている。ここで記載されたメッセージ送信方式は、順方向または逆方向リンクの何れかのチャンネルに送信される幾つかのセットの定義済メッセージに用いられうる。本発明のメッセージ送信方式はまた、他の無線通信システムや、１つ以上の他のＣＤＭＡ規格および／または設計をサポートしている他のＣＤＭＡシステムにも適用される。
【００６６】
好適な実施例である前述の記載は、当該技術分野に熟達した者をして、本発明の活用または利用を可能とするものである。これらの実施例への様々な変形例もまた、当該技術分野に熟達した者に対しては明らかであって、ここで定義された一般的な原理は、発明的な能力を要すことなく他の実施例に適用されうる。すなわち、本発明は、上記で示された実施例に制限されるものではなく、ここで記載された原理と新規の特徴と一致した広いスコープに相当するものを意図している。
【図面の簡単な説明】
【００６７】
【図１】多くのユーザをサポートし、本発明の様々な局面を実現できる無線通信システムの概念図である。
【図２】ＨＤＲシステムに用いられているパケット送信方式を示す図である。
【図３】ＨＤＲシステムに適用され、データ速度コントロール（ＤＲＣ）メッセージおよび他の情報を送信可能な逆方向リンク構成を示すブロック図である。
【図４】最も近いコードワードに対して等間隔に配置されたコードワードの符号をグラフ的に示す図、および最も近いコードワードに対して等間隔にならないように配置されたコードワードの符号をグラフ的に示す図である。
【図５】異なる変調フォーマットから選択されたポイントを有する２つの信号座標を示す図である。
【図６】本発明の様々な局面に対応しているアクセスターミナルの実施例を示すブロック図である。
【図７】送信（ＴＸ）データプロセッサの一部分の実施例を示すブロック図である。
【符号の説明】
【００６８】
１００…無線通信システム、１０４…アクセスポイント、１０６…アクセスターミナル、３３０，６６０…ＤＲＣプロセッサ、３３２…バイ直交エンコーダ、３３６，６６６…信号ポイントマッピングエレメント、３３８，３４２，６６８，６７２…カバナー、３４０，６７０…Ｗａｌｓｈカバージェネレータ、３５０…結合変調器、４１０，４２０…円、４１２，４２２，５１２，５１４…ポイント、６１２…アンテナ、６１４…デュプレクサ、６２２…ＲＦレシーバユニット、６２４，６４４…復調器、６２６…受信データプロセッサ、６２８…ＲＸ信号品質測定ユニット、６３０…コントローラ、６４２…送信データプロセッサ、６４６…ＲＦ  ＴＸユニット、６６７…ゲインエレメント
【図１】
2005505955.tif 000007
【図２】
2005505955.tif 000008
【図３】
2005505955.tif 000009
【図４】
2005505955.tif 000010
【図５】
2005505955.tif 000011
【図６】
2005505955.tif 000012
【図７】
2005505955.tif 000013
【国際公開パンフレット】
2005505955.tif 000014
2005505955.tif 000015
2005505955.tif 000016
2005505955.tif 000017
2005505955.tif 000018
2005505955.tif 000019
2005505955.tif 000020
2005505955.tif 000021
2005505955.tif 000022
2005505955.tif 000023
2005505955.tif 000024
2005505955.tif 000025
2005505955.tif 000026
2005505955.tif 000027
2005505955.tif 000028
2005505955.tif 000029
2005505955.tif 000030
2005505955.tif 000031
2005505955.tif 000032
2005505955.tif 000033
2005505955.tif 000034
2005505955.tif 000035
2005505955.tif 000036
2005505955.tif 000037
2005505955.tif 000038
2005505955.tif 000039
2005505955.tif 000040
2005505955.tif 000041
2005505955.tif 000042
2005505955.tif 000043
2005505955.tif 000044
2005505955.tif 000045
2005505955.tif 000046
2005505955.tif 000047
【国際公開パンフレット（コレクトバージョン）】
2005505955.tif 000048
【国際調査報告】
2005505955.tif 000049
2005505955.tif 000050
2005505955.tif 000051
2005505955.tif 000052
2005505955.tif 000053